(57)【要約】【課題】空気中に浮遊した浮遊粒子状物質を吸着させる浮遊粒子状物質吸着塗料、その吸着方法、および浮遊粒子状物質吸着壁紙を提供することを目的とする。【解決手段】花粉やハウスダストである浮遊粒子状物質３００の接触状態を維持でき、除去行為によって花粉やハウスダストである浮遊粒子状物質３００が離脱可能な微力である粘着層１１０を壁部２００の貼付された壁紙２１０の表面に粘着剤が形成し、粘着層１１０が花粉やハウスダストである浮遊粒子状物質３００を吸着する。【選択図】図１
2019081873.tif 000002
【特許請求の範囲】
【請求項１】
浮遊粒子状物質を壁紙表面に吸着させる浮遊粒子状物質吸着塗料において、
浮遊粒子状物質の接触状態を維持でき、除去行為によって前記浮遊粒子状物質が離脱可能な微力である粘着層を壁紙表面に形成する粘着剤、
を含有することを特徴とする浮遊粒子状物質吸着塗料。
【請求項２】
前記除去行為は、
布による払拭行為であることを特徴とする請求項１記載の浮遊粒子状物質吸着塗料。
【請求項３】
前記浮遊粒子状物質は、
花粉であることを特徴とする請求項１記載の浮遊粒子状物質吸着塗料。
【請求項４】
前記壁紙は、
塩化ビニール製の壁紙であることを特徴とする請求項１記載の浮遊粒子状物質吸着塗料。
【請求項５】
浮遊粒子状物質を壁紙表面に吸着させる浮遊粒子状物質吸着方法において、
浮遊粒子状物質の接触状態を維持でき、除去行為によって前記浮遊粒子状物質が離脱可能である微力な粘着層が、壁紙に接触した前記浮遊粒子状物質を粘着する工程、
を備えることを特徴とする浮遊粒子状物質吸着方法。
【請求項６】
浮遊粒子状物質を表面に吸着させる浮遊粒子状物質吸着壁紙において、
浮遊粒子状物質の接触状態を維持でき、除去行為によって前記浮遊粒子状物質が離脱可能な微力である粘着層、
を備えることを特徴とする浮遊粒子状物質吸着壁紙。
【発明の詳細な説明】
【技術分野】
【０００１】
本発明は、浮遊粒子状物質吸着塗料、浮遊粒子状物質吸着方法、浮遊粒子状物質吸着壁紙に関し、特に浮遊粒子状物質を壁紙表面に吸着させる浮遊粒子状物質吸着塗料、浮遊粒子状物質吸着方法、浮遊粒子状物質吸着壁紙に関する。
【背景技術】
【０００２】
従来からスギやヒノキ、ブタクサなどの植物の花粉により、くしゃみや鼻水などを伴うアレルギー症状を引き起こす花粉症と呼ばれる病気が知られている。花粉症は１９６０年代に初めて発見されて以来、患者は増加の一途をたどり、現在では３０００万人以上の人が花粉症で悩まされている。
【０００３】
このほか、アレルギー症状を引き起こす物質として、ダニ、ホコリ、ペットの毛、虫の死骸や糞などを例とするハウスダストが知られており、これらのハウスダストによるアレルギー患者も年々増えている。
【０００４】
そこで近年ではアレルギーの原因となる植物の花粉やハウスダストなどを室内から除去するために、空気中に浮遊している花粉やハウスダストなどを集める空気清浄機やエアコンなどが開発されている。
【０００５】
空気清浄機やエアコンは、内蔵されるファンで室内の空気を吸い込み、フィルターで花粉やハウスダストなどの不要な物質を除去することによって空気を清浄化する。清浄化された空気を、暖めたり、冷やしたり、またはそのまま室内に排出することで、室内に浮遊した花粉やハウスダストなどを除去している。
【０００６】
ところが、これらのエアコンや空気清浄機は、一定の範囲の空気しか吸い込むことが出来ないので、部屋全体の花粉やハウスダストなどを除去することは困難である。また、排出した空気によって空気中に残された花粉やハウスダストなどが舞い上げられてしまう難点がある。
【０００７】
一方で、空気中に浮遊している花粉やハウスダストなどは、静電気によって壁紙に引きつけられやすい性質がある。家電製品を移動した際に、その家電製品の後側の壁が不自然なほどに家電製品の形で黒く汚れているのも、静電気によって微細なホコリや油などが壁面に吸い寄せられるのが原因である。
【０００８】
そこで、壁面の表面層に抗菌性能とアレルゲン低減化機能を備えた柿渋ものを塗布することで、壁面に附着した花粉やハウスダストなどのアレルゲンを低減化する壁紙が開発されている（たとえば、特許文献１参照）。
【先行技術文献】
【特許文献】
【０００９】
【特許文献１】特開２０１０−６５３４４号公報
【発明の概要】
【発明が解決しようとする課題】
【００１０】
しかし、静電気によって壁面に附着した花粉やハウスダストなどは、その附着状態を継続することができない問題があった。
具体的には、壁面で発生した静電気により壁面に吸い寄せられた花粉やハウスダストなどが壁面に接触すると、壁面に帯電した電荷の供給または吸収により、壁面の静電気が中和されることで静電気による吸引力が弱まり、花粉やハウスダストなどが壁面に接触状態を確実にすることはできなかった。
【００１１】
さらに、壁面に接触した状態を維持することができなくなった花粉やハウスダストなどは、人の動き、エアコン、あるいは空気清浄機などによる空気の流れで、簡単に空気中に再び散ってしまい、壁面で多くのアレルゲンを低減化することは難しかった。
【００１２】
このように花粉やハウスダストなどが壁面への接触状態を維持できなければ、いくら壁面に花粉やハウスダストなどのアレルゲンを低減化する柿渋が塗布されていても、空気中に浮遊してしまった花粉やハウスダストのアレルゲンを低減化させることはできない。
【００１３】
本発明はこのような点に鑑みてなされたものであり、空気中に浮遊した浮遊粒子状物質を吸着させる浮遊粒子状物質吸着塗料、その吸着方法、および浮遊粒子状物質吸着壁紙を提供することを目的とする。
【課題を解決するための手段】
【００１４】
本発明では上記問題を解決するために、浮遊粒子状物質を壁紙表面に吸着させる浮遊粒子状物質吸着塗料において、浮遊粒子状物質の接触状態を維持でき、除去行為によって前記浮遊粒子状物質が離脱可能な微力である粘着層を壁紙表面に形成する粘着剤を含有することを特徴とする浮遊粒子状物質吸着塗料が提供される。
これにより、粘着剤が浮遊粒子状物質の接触状態を維持でき、除去行為によって前記浮遊粒子状物質が離脱可能な微力である粘着層が浮遊粒子状物質を吸着する。
【００１５】
また、本発明では、浮遊粒子状物質を壁紙表面に吸着させる浮遊粒子状物質吸着方法において、浮遊粒子状物質の接触状態を維持でき、除去行為によって前記浮遊粒子状物質が離脱可能である微力な粘着層が、壁紙に接触した前記浮遊粒子状物質を粘着する工程を備えることを特徴とする浮遊粒子状物質吸着方法が提供される。
これにより、粘着剤が浮遊粒子状物質の接触状態を維持でき、除去行為によって前記浮遊粒子状物質が離脱可能な微力である粘着層が浮遊粒子状物質を吸着する。
【００１６】
また、本発明では、浮遊粒子状物質を表面に吸着させる浮遊粒子状物質吸着壁紙において、浮遊粒子状物質の接触状態を維持でき、除去行為によって前記浮遊粒子状物質が離脱可能な微力である粘着層を備えることを特徴とする浮遊粒子状物質吸着壁紙が提供される。
これにより、粘着剤が浮遊粒子状物質の接触状態を維持でき、除去行為によって前記浮遊粒子状物質が離脱可能な微力である粘着層が浮遊粒子状物質を吸着する。
【発明の効果】
【００１７】
本発明の壁紙吸着塗布剤、壁紙吸着方法、および吸着壁紙によれば、除去行為によって浮遊粒子状物質が離脱可能である微力な粘着層が、壁紙に発生した静電気によって吸引された浮遊粒子状物質を粘着するので、壁紙に吸引された浮遊粒子状物質を、吸着し、除去行為によって浮遊粒子状物質が離脱される。
【図面の簡単な説明】
【００１８】
【図１】本実施の形態に係る浮遊粒子状物質吸着塗料を壁面に塗布した状態を示す側面図である。
【図２】壁紙に塗布された浮遊粒子状物質吸着塗料に浮遊粒子状物質が吸着する様子を示す側面図である。
【図３】浮遊粒子状物質が粘着皮膜に接触した様子を示す側面図である。
【図４】除去行為によって粘着皮膜１１０に吸着した浮遊粒子状物質３００を除去する様子を示す側面図である。
【図５】浮遊粒子状物質吸着塗料を塗布した壁紙による花粉の吸着実験の試験結果を示す図である。
【発明を実施するための形態】
【００１９】
以下、本発明の実施の形態を、図面を参照して詳細に説明する。
図１は、本実施の形態に係る浮遊粒子状物質吸着塗料を壁面に塗布した状態を示す側面図である。
図１に示すように、浮遊粒子状物質吸着塗料１００は、壁部２００の表面に貼付された壁紙２１０の表面に塗布されている。
【００２０】
浮遊粒子状物質吸着塗料１００は、塗布された壁紙２１０の表面に薄い粘着皮膜１１０を形成し、乾燥後に微弱な粘着力を有することができる塗料である。
壁部２００の表面に貼付される壁紙２１０は、一般的な壁紙であり、塩化ビニール製の壁紙が貼付されている。
【００２１】
浮遊粒子状物質吸着塗料１００の壁紙２１０への塗装は非加熱状態で、ペイントローラーを用いての塗布や、高圧の空気やガスなどを用いて霧状にした浮遊粒子状物質吸着塗料１００を、壁紙２１０に吹付塗装することもできる。
【００２２】
図２は、壁紙に塗布された浮遊粒子状物質吸着塗料に浮遊粒子状物質が吸着する様子を示す側面図である。
図２に示すように、花粉やハウスダストなどの浮遊粒子状物質３００は、壁部２００に向かって吸い寄せられている。
【００２３】
壁部２００、壁紙２１０および粘着皮膜１１０は、室内外からの人の動きや、それらによる空気の流れにより、空気と壁部２００および壁紙２１０との間に摩擦が起き、静電気が発生する。
【００２４】
これら壁部２００、壁紙２１０および粘着皮膜１１０に発生した静電気により、空気中を浮遊している花粉やハウスダストなどの浮遊粒子状物質３００は、浮遊粒子状物質３００に生じた電荷と静電気が引きつけ合って、壁部２００に向かって吸い寄せられる。
なお、静電気による浮遊粒子状物質３００の吸引力を高めるため、静電気を帯電させる帯電体を浮遊粒子状物質吸着塗料１００に添加してもよい。
【００２５】
図３は、浮遊粒子状物質が粘着皮膜に接触した様子を示す側面図である。
図３に示すように、壁部２００に吸い寄せられた浮遊粒子状物質３００は、壁紙２１０の表面に塗布された粘着皮膜１１０と接触する。
【００２６】
粘着皮膜１１０に浮遊粒子状物質３００が接触することにより、壁部２００、壁紙２１０および粘着皮膜１１０に発生した静電気は中和され、静電気による吸引力が弱まる。しかし、粘着皮膜１１０は浮遊粒子状物質３００の接触状態を維持できる程度の微弱な粘着力を有しているため、浮遊粒子状物質３００は粘着皮膜１１０に接触した状態を維持することができる。
【００２７】
これにより、浮遊粒子状物質３００が壁部２００に接触したことにより静電気が中和され、壁部２００への吸引力が低下したとしても、浮遊粒子状物質３００が再び空気中を浮遊することなく粘着皮膜１１０に接触したままとなる。
【００２８】
つまり空気中に浮遊する浮遊粒子状物質３００を粘着皮膜１１０が吸着した状態となり、空気中に浮遊する浮遊粒子状物質３００の量を低減させられるので、空気中でのアレルゲンの浮遊量を低減させることができる。
【００２９】
さらに、粘着皮膜１１０に抗菌性能とアレルゲン低減化機能を備えた物質を添加することで、粘着皮膜１１０に接触した浮遊粒子状物質３００を再び空気中に離脱させることなくアレルゲンを低減化させるようにしてもよい。
【００３０】
図４は、除去行為によって粘着皮膜１１０に吸着した浮遊粒子状物質３００を除去する様子を示す側面図である。
図４に示すように、粘着皮膜１１０に吸着した浮遊粒子状物質３００は、除去行為４００によって粘着皮膜１１０から取り除くことができる。
【００３１】
粘着皮膜１１０の粘着力は、浮遊粒子状物質３００の接触を維持できる程度であり、かつ摩擦力や吸引力の高い除去行為によって浮遊粒子状物質３００を離脱させられる程度の粘着力である。
【００３２】
このため、除去行為４００は、例えば雑巾などの布による拭き取り行為や、掃除機などによる吸引口行為であって、これらの除去行為４００によって浮遊粒子状物質３００を粘着皮膜１１０から離脱させることができる。
【００３３】
図５は、浮遊粒子状物質吸着塗料を塗布した壁紙による花粉の吸着実験の試験結果を示す図である。
図５による試験は、浮遊粒子状物質吸着塗料１００である花粉吸着塗料を塗布した試料である壁紙２１０について、花粉の吸着性能を評価するための試験である。
【００３４】
まず、材質の異なる壁紙Ａ、壁紙Ｂ、壁紙Ｃに浮遊粒子状物質吸着塗料１００を塗布加工したもの、塗布しない未加工のものを試料として用意する。
また壁紙に浮遊粒子状物質吸着塗料１００する場合においては、常温で壁紙２１０に塗布したものと、加熱して壁紙２１０に蒸着させたものを用意した。
【００３５】
試験方法は、赤色に染色したヒカゲノカズラの胞子を擬似花粉として、擬似花粉と４ｃｍ×４ｃｍに断裁した各試料を１枚ずつ４．５リットルのポリ袋に投入し、１００回（１回／秒）振る。その後、試料をポリ袋から取り出し、かるく数回振った後、実体顕微鏡を用い肉眼で観察する。さらに塗布加工したものにおいては、水拭き行為を０回、１回、５回、１０回行なったものを比較する。
また、花粉のキャッチ率（％）＝（未加工・花粉付着数−加工・花粉付着数）／未加工・花粉付着数×１００として花粉のキャッチ率を算出した。
【００３６】
図５に示す試験結果から、浮遊粒子状物質吸着塗料１００である花粉吸着塗料を塗布加工した壁紙は、加熱なし加熱ありでも未加工の壁紙と比較して良好な花粉キャッチ効果が確認できた。また、花粉吸着塗料を塗布加工した壁紙においては、数回の水拭き後でも、未加工の壁紙と比較して良好な花粉キャッチ効果が確認できた。
【００３７】
これらの結果から、浮遊粒子状物質吸着塗料１００による粘着皮膜１１０は、浮遊粒子状物質３００の接触状態を維持できる十分な粘着力を有しており、複数回の水拭きを行なっても粘着力が低下することなく浮遊粒子状物質３００を吸着することができる。
【符号の説明】
【００３８】
１００  浮遊粒子状物質吸着塗料
１１０  粘着皮膜
２００  壁部
２１０、Ａ、Ｂ、Ｃ  壁紙
３００  浮遊粒子状物質
４００  除去行為
【図１】
2019081873.tif 000003
【図２】
2019081873.tif 000004
【図３】
2019081873.tif 000005
【図４】
2019081873.tif 000006
【図５】
2019081873.tif 000007